(57)【要約】【課題】低コストで高い遮音性能を有するピアノ等の載置するための遮音載置台を提供する。【解決手段】載置部２ａと支持プレート３５との間に遮音構造材３が介在し、保持部材７のごく小さい面積部分だけが置部２ａと支持プレート３５に接触しており、しかも保持部材７は中空部２３を有し、天板１５と底板１７とは薄板状の左右の側板９だけで連結されている。音（震動）を伝える部分の断面積が極めて小さい。更に保持部材７も合成ゴムによって構成され、しかも側板９には撓み部１１が形成されているので、保持部材７自体も音（振動）を減衰する機能を有している。従って、この遮音載置台１は高い遮音性能を発揮することになる。【選択図】        図３
2007304242.tif 000002
【特許請求の範囲】
【請求項１】
多数の小孔が形成された支持板と、前記支持板の下面側に固定された遮音構造材とを有し、前記遮音構造材は剛性材料から成る二本のフレーム部材と、前記フレーム部材を一定の間隔を開けて保持する弾性材によって構成された保持部材とから成ることを特徴とする遮音載置台。
【請求項２】
請求項１に記載した遮音載置台において、支持板の下面には吸音材が設けられていることを特徴とする遮音載置台。
【請求項３】
請求項１または２に記載した遮音載置台において、支持板には少なくとも二つの遮音構造材が備えられていることを特徴とする遮音載置台。
【請求項４】
請求項１から３のいずれかに記載した遮音載置台において、支持板には、少なくとも上面を覆うカバーが備えられていることを特徴とする遮音載置台。
【請求項５】
請求項１から４のいずれかに記載した遮音載置台において、遮音構造材の保持部材の下面側には床と当接する設置部材が備えられ、前記設置部材の下面の面積は保持部材の下面の面積より小さいことを特徴とする遮音載置台。
【請求項６】
請求項５に記載した遮音載置台において、保持部材の下面と設置部との間には保持部材の下面を支持する剛性材料から成る支持プレートが設けられていることを特徴とする遮音載置台。
【発明の詳細な説明】
【技術分野】
【０００１】
本発明は遮音載置台に係り、特にピアノ等を載置する遮音載置台に関するものである。
【背景技術】
【０００２】
二階建以上の建物で、上層階にピアノを置いた場合、演奏時の音が下層階に響いてしまうことになる。かなり遮音性の高い床をもつ建物でもピアノの音が上層階から下層階へ漏れるのを、人の耳に聞こえない程度にまで遮断することは極めて難しい。特にマンション等においてピアノ騒音は深刻な問題である。
一方、本格的な防音室を設けるためには大掛かりな工事を必要とし、相当なコストがかかってしまうという問題もある。
【発明の開示】
【発明が解決しようとする課題】
【０００３】
本発明は上記従来の問題点に着目して為されたものであり、低コストで高い遮音性能を有する遮音載置台を提供することを、その目的とする。
【課題を解決するための手段】
【０００４】
本発明は上記課題を解決するためになされたものであり、請求項１の発明は、多数の小孔が形成された支持板と、前記支持板の下面側に固定された遮音構造材とを有し、前記遮音構造材は剛性材料から成る二本のフレーム部材と、前記フレーム部材を一定の間隔を開けて保持する弾性材によって構成された保持部材とから成ることを特徴とする遮音載置台である。
【０００５】
請求項２の発明は、請求項１に記載した遮音載置台において、支持板の下面には吸音材が設けられていることを特徴とする遮音載置台である。
【０００６】
請求項３の発明は、請求項１または２に記載した遮音載置台において、支持板には少なくとも二つの遮音構造材が備えられていることを特徴とする遮音載置台ある。
【０００７】
請求項４の発明は、請求項１から３のいずれかに記載した遮音載置台において、支持板には、少なくとも上面を覆うカバーが備えられていることを特徴とする遮音載置台である。
【０００８】
請求項５の発明は、請求項１から４のいずれかに記載した遮音載置台において、遮音構造材の保持部材の下面側には床と当接する設置部材が備えられ、前記設置部材の下面の面積は保持部材の下面の面積より小さいことを特徴とする遮音載置台である。
【０００９】
請求項６の発明は、請求項５に記載した遮音載置台において、保持部材の下面と設置部との間には保持部材の下面を支持する剛性材料から成る支持プレートが設けられていることを特徴とする遮音載置台である。
【発明の効果】
【００１０】
本発明の遮音載置台は低コストで高い遮音性能を発揮でき、上層階に置いたピアノ等の音が下層階に漏れるのを防止することが可能である。
【発明を実施するための最良の形態】
【００１１】
本発明の実施の形態に係る遮音載置台１を図面によって説明する。
符号２は支持板を示し、この支持板２は鋼製の所謂パンチングメタルによって構成されており、多数の小孔４が形成されている。支持板２は長方形の載置部２ａと、この載置部２ａの四辺に一体に形成され下方へ真っ直ぐに延びる垂直部２ｂとによって構成されている。支持板２にはカバーとしてのカーペット８が貼られており、このカーペット８によって載置部２ａの上面と垂直部２ｂの外側面が覆われている。
載置部２ａの下面には４つの遮音構造材３が固定されている。
【００１２】
遮音構造材３の詳細な構成について説明する。
遮音構造材３は二本のフレーム部材５と３つの保持部材７とによって構成されている。
フレーム部材５は剛性材料としてのステンレススチールによって構成され、幅寸法が３５ｍｍ、長さ寸法が１５００ｍｍである。フレーム部材５は左右両端部が直角に折り曲げられた形状で、二本を一組として備えられている。フレーム部材５の両端部と中央部には丸穴６が形成されている。
【００１３】
保持部材７は弾性材としての合成ゴムによって構成されている。この保持部材７はほぼ角筒状に形成されており、左右の側板９の上下方向のほぼ中央に外側へ僅かに突出する撓み部１１が形成されている。また、左右の側板９には内部保持板１３ａ、１３ｂが連続して形成されており、内部保持板１３ａ、１３ｂは上下一対設けられている。上側の内部保持板１３ａは一対の撓み部１１の上側の端部付近から内側に向かって延びており、下側の内部保持板１３ｂは一対の撓み部１１の下側の端部付近から内側に向かって延びている。
【００１４】
一対の内部保持板１３ａ、１３ｂはそれぞれ独立しており、左右の側板９、天板１５及び底板１７に対し一定の隙間を開けて備えられている。従って、内部保持板１３ａと、左右の側板９と天板１５との間に隙間部１９が形成されている。また、内部保持板１３ｂと、左右の側板９と底板１７との間に隙間部２１が形成されている。
隙間部１９、２１はフレーム部材７の横断面形状に対応する形状となっている。
【００１５】
上下の内部保持板１３ａ、１３ｂの対向領域は中空部２３となっており、この中空部２３には介装材としての発泡スチロール製の介装ブロック２５がはめ込まれている。
天板１５、内部保持板１３ａには丸穴２７、２９がそれぞれ形成されている。底板１７、内部保持板１３ｂにも丸穴２７、２９がそれぞれ形成されている。
【００１６】
二本のフレーム部材５の両端部と中央部には、保持部材７の隙間部１９、２１がそれぞれ嵌められている。従って、保持部材７によって二本のフレーム部材５は一定の間隔を空けて保持されている。
なお、保持部材７の丸穴２７、２９とフレーム部材５の丸穴６は同軸となるように位置している。
【００１７】
４つの遮音構造材３は支持板２の載置部２ａの下面に固定され、等間隔で配置されている。即ち、図５に示すように雄ネジ４０が小孔４から挿入され、保持部材７の天板１５に形成された丸穴２７、２９、フレーム部材５の丸穴６及び介装ブロック２５にねじ込まれており、これにより遮音構造材３は載置部２ａの下面に固定されている。載置部２ａの下面には遮音構造材３の保持部７の天板１５が接触しており、従って、載置部２ａの下面とフレーム部材５との間には隙間が開いている。
【００１８】
符号３５は剛性材料であるステンレススチール製の支持プレートを示し、この支持プレート３５は遮音構造材３とほぼ同じ長さ寸法を有し、また遮音構造材３よりやや大きい幅寸法を有している。支持プレート３５の幅方向の両端部は上方へ直角に曲げられている。支持プレート３５の長さ方向の両端部と中心部とには丸穴３７が形成されている。
符号３９は合成ゴム製の設置部材を示し、この設置部材３９は直径が１５ｍｍ、高さ寸法が１０ｍｍ程度のほぼ円筒形で、中心に丸穴４１が形成されている。
【００１９】
保持部材７の底板１７の下面には支持プレート３５が当接し、支持プレート３５の下面には設置部材３９が配置されている。そして雄ネジ３１が設置部材３９の丸穴４１から挿入されて、支持プレート３５の丸穴３７、底板１７に形成された丸穴２７、２９、フレーム部材５の丸穴６及び介装ブロック２５にねじ込まれており、これにより設置部材３０と支持プレート３５が保持部材７に固定されている。支持プレート３５には保持部材７の底板１７の下面だけが接触しており、従って、支持プレート３５の上面とフレーム部材５との間には隙間が開いている。
【００２０】
上記のように支持板２の載置部２ａに固定された４つの遮音構造材３の間の領域には、吸音材としての合成ゴム製のゴム板３２が配置されており、ゴム板３２は載置部２ａの下面に貼り付けられている。更にゴム板３２には吸音ないし断熱性能を有する合成樹脂製の吸音材３３が貼り付けられている。
【００２１】
次に、この遮音載置台１の使用方法について説明する。
図１に示すように、建築物の床Ｆに遮音載置台１を置き、その遮音載置台１の載置部２ａにピアノＰを設置する。ピアノＰを演奏すると、ピアノＰの床Ｆへ伝わろうとする音（振動）は載置部２ａの小孔４を通り、ゴム板３２と吸音材３３に衝突して減衰させられる。
【００２２】
また、載置部２ａに伝達された音（振動）は次の理由によって床Ｆには殆ど伝わらない。
載置部２ａと支持プレート３５との間に遮音構造材３が介在している。そして、遮音構造材３は、保持部材７によって二本のフレーム部材５は一定の間隔を空けて保持されている。また保持部材７のごく小さい面積部分だけが載置部２ａと支持プレート３５に接触しており、しかも保持部材７は中空部２３を有し、天板１５と底板１７とは薄板状の左右の側板９だけで連結されている。従って、遮音構造材３は音（震動）を伝える部分の断面積が極めて小さい。更に保持部材７も合成ゴムによって構成され、しかも側板９には撓み部１１が形成されているので、保持部材７自体も音（振動）を減衰する機能を有している。
しかも、設置部材３９と床Ｆとの接触面積も極めて小さく、且つ合成ゴム製の設置部材３９自体も音（振動）を減衰する機能を有している。
従って、この遮音載置台１は高い遮音性能を発揮することになる。
【００２３】
一方、保持部材７が取り付けられたフレーム部材５は剛性材によって構成されており、しかもある程度の幅寸法を有し、比較的長尺で、載置部２ａの前後方向のほぼ全長に渡って配置されている。従って、上方からかかる荷重を安定して受け止めることができる。
なお、介装ブロック２５、吸音材３３は吸音ないし断熱性能を有しているので、遮音、断熱に寄与する。
【００２４】
また、遮音載置台１は床Ｆに設置するだけなので、防音室のような大掛かりな工事を必要とせず、比較的安価なものとすることが可能である。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、１つの支持板２に３つ以下或いは５つ以上の遮音構造材を固定する構成としてもよい。
また、二本のフレームに取り付ける保持部材の数も２つ以下或いは４つ以上にすることも可能である。
【産業上の利用可能性】
【００２６】
本発明の遮音載置台はピアノの他、オルガン等の他の楽器、楽器以外の音を発生する機械類等を載置するのに使用することが可能である。
【図面の簡単な説明】
【００２７】
【図１】本発明の実施の形態に係る遮音載置台にピアノを載置した状態の斜視図である。
【図２】図１の遮音載置台の分解斜視図である。
【図３】図１の遮音載置台の横断面図である。
【図４】図１の遮音載置台に装備される遮音構造材の斜視図である。
【図５】図１の遮音載置台に装備される遮音構造材、支持プレート及び設置部材の部分横断面図である。
【符号の説明】
【００２８】
１  遮音載置台      ２  支持板      ２ａ  載置部
２ｂ  垂直部      ３  遮音構造材      ４  小孔
５  フレーム部材      ６  丸穴      ７  保持部材
８  カーペット      ９  側板      １１  撓み部
１３ａ、１３ｂ  内部保持板      １５  天板
１７  底板      １９、２１  隙間部      ２３  中空部
２５  介装ブロック      ２７、２９  丸穴
３１  雄ネジ      ３２ゴム板      ３３  吸音材
３５  支持プレート      ３７  丸穴      ３９  設置部材
４０  雄ネジ      ４１  丸穴
Ｐ  ピアノ      Ｆ  床
【図１】
2007304242.tif 000003
【図２】
2007304242.tif 000004
【図３】
2007304242.tif 000005
【図４】
2007304242.tif 000006
【図５】
2007304242.tif 000007